(57)【要約】【課題】この発明は、靴の底革を痛めることなく、底面を上側にした状態の靴を外側から挟着保持して吊り下げ、特に濡れた靴の迅速な乾燥をすることができる靴用ハンガーを提供することを目的としている。【解決手段】この発明は、  Ｕ字状の頂部付近内側に前記靴の踵部分を当接し、靴の踵部分から靴の前方に亘って靴底の周縁に沿って挟着保持するＵ字状挟着保持部と、当該Ｕ字状挟着保持部のそれぞれの開口側先端部に上向きに連設され、協働して靴底を横方向から挟着保持する２つの挟着凹部と、当該挟着凹部の他端から延設した吊り下げフック部とを備え、前記Ｕ字状挟着保持部と前記吊り下げフック部との角度が９０°以上となるように構成した靴用ハンガーによって目的を達成した。【選択図】        図１
2004202076.tif 000002
【特許請求の範囲】
【請求項１】
底面を上側にした靴を外側から挟着保持して吊り下げる靴用のハンガーであって、
略Ｕ字状に成形され、当該Ｕ字状の頂部付近内側に前記靴の踵部分を当接し、靴の踵部分から靴の前方に亘って靴底の周縁に沿って挟着保持するＵ字状挟着保持部と、
協働して靴底を横方向から挟着保持する凹部であって、靴底の厚みに対応する開口巾を有すると共に、開口側を対向させて前記Ｕ字状挟着保持部のそれぞれの開口側先端部に前記凹部の一端をそれぞれ連設した２つの挟着凹部と、
当該挟着凹部の他端から延設した吊り下げフック部とを備え、
前記Ｕ字状挟着保持部と前記吊り下げフック部との角度が９０°以上となるように前記挟着凹部と前記Ｕ字状挟着保持部との連設部において前記挟着凹部を前記Ｕ字状挟着保持部に対して上方へ屈曲させて連設した
ことを特徴とする靴用ハンガー。
【請求項２】
針金状の弾性材により屈曲成形したことを特徴とする請求項１記載の靴用ハンガー。
【発明の詳細な説明】
【０００１】
【発明の属する技術分野】
この発明は、靴やブーツ等をその外側から挟着保持して吊り下げて乾燥させることができる靴用ハンガーに関する。
【０００２】
【従来の技術】
従来、靴用のハンガーは、靴の内側に靴の保持部を差し入れて吊り下げる形態のものが数多く使用されている。このとき、濡れた靴を乾燥させようとする際に、水切れをよくするために靴を逆さまにして、すなわち靴の底面側を上側にし、履き入れ口側を下側にして乾燥させることがある。
【０００３】
また、濡れた靴を干すために立設した棒状の保持具を逆さまにした靴の内側に差し入れたり、クリップ等で挟着したりする形態のハンガーが用いられることがある。
【０００４】
さらに、靴の外部から靴を保持する形態のハンガーとして、靴の外面にベルトを掛け廻し、そのベルトを吊り下げる形態のハンガーが提案されている（特開２００２−９５６２２号公報）。
【０００５】
【特許文献１】特開２００２−９５６２２号公報
【０００６】
【発明により解決しようとする課題】
しかしながら、前記従来の靴保持具やハンガーは、不便な点や、いくつかの改善すべき点があった。
【０００７】
例えば、靴の内部に保持部を差し入れて吊り下げる形態のものは、吊り下げる対象となる靴が例えばブーツや長靴のように履き入れ口から靴底までの長さの長い靴の場合は、靴をしっかり掛け止めできるように保持具を靴のつま先側まで差し入れることが困難な場合がある。
【０００８】
また、靴の底面側を上側にし、履き入れ口側を下側にして乾燥させるときに、立設した棒状の保持具を靴の内側に差し入れる場合も、保持具の先端が拡径していなければ靴内に差し入れることは容易であるが、靴は保持具の先端でいわば点で支えられることになり、特に踵部付近の靴内部を痛めてしまうおそれがあるし、バランスを保つのも困難であった。これは水を含んで重くなった靴では顕著であった。
【０００９】
一方、保持具の先端を拡径し、保持具及び靴にかかる圧力を分散することも考えられるが、この場合は、靴内に保持部を差し入れることが困難となってしまう。
【００１０】
また、靴をクリップ等で挟んだ状態で吊り下げるものは、クリップで挟持される部分を痛めてしまい、さらに、靴の重量が重い場合にはクリップが外れて靴が落下してしまうおそれもあった。
【００１１】
靴の外面にベルトを掛け廻し、靴の外部から靴を保持する形態のハンガーは、ベルトにより確実に靴を支持できるものであるので、靴がハンガーから落下するおそれは解消されているが、靴の表面にベルトの跡が残ってしまい、靴を傷め易いという問題は依然として解消されていなかった。
【００１２】
【課題を解決するための手段】
この発明は、底面を上側にした靴の靴底と側革との境界付近を踵部側から靴の先端方向に向かって挟着保持すると共に、靴底を挟着抱持するようにした靴用ハンガーによって前記諸問題を解決したのである。
【００１３】
すなわち、この発明の靴用ハンガーは、底面を上側にした靴を外側から挟着保持して吊り下げる靴用のハンガーであって、略Ｕ字状に成形され、当該Ｕ字状の頂部付近内側に前記靴の踵部分を当接し、靴の踵部分から靴の前方に亘って靴底の周縁に沿って挟着保持するＵ字状挟着保持部と、協働して靴底を横方向から挟着保持する凹部であって、靴底の厚みに対応する開口巾を有すると共に、開口側を対向させて前記Ｕ字状挟着保持部のそれぞれの開口側先端部に前記凹部の一端をそれぞれ連設した２つの挟着凹部と、当該挟着凹部の他端から延設した吊り下げフック部とを備え、前記Ｕ字状挟着保持部と前記吊り下げフック部との角度が９０°以上となるように前記挟着凹部と前記Ｕ字状挟着保持部との連設部において前記挟着凹部を前記Ｕ字状挟着保持部に対して上方へ屈曲させて連設したことを特徴とする靴用ハンガーである。
【００１４】
ここで、この発明の靴用ハンガーは、針金状の弾性材により屈曲成形して製作することができる。弾性材により屈曲成形すれば、その弾性により、靴を強固に挟着保持することができる。
【００１５】
【発明の実施の形態】
この発明の靴用ハンガーの実施の形態につき、図面を参照しつつ、説明する。
【００１６】
（１）靴用ハンガーの構成
この発明の靴用ハンガー１は、図示のように靴底２ａを上側にした靴２を外側から挟着保持して吊り下げる形態の靴用のハンガーであり、大別すると以下のようなＵ字状挟着保持部３、２つの挟着凹部４、４、吊り下げフック部５とによって構成される。
【００１７】
〔Ｕ字状挟着保持部〕
Ｕ字状挟着保持部３は、略Ｕ字状に成形され、当該Ｕ字状の頂部３ａ付近の内側に靴２の踵部分２ｂを当接し、靴２の踵部分２ｂから靴の前方に亘って靴底２ａの周縁に沿って挟着保持するものである。
【００１８】
靴２を靴用ハンガー１に掛止するときは、Ｕ字状挟着保持部３の平行部３ｂ、３ｂは、靴２の靴底２に沿って、靴底２ａと側革２ｃとの境界付近に位置し靴２を挟着保持する（図８）。
【００１９】
従って、Ｕ字状の平行部３ｂ、３ｂは、靴２を掛止したときに、靴２がバランスよく保持され、落下しない程度の長さを確保しておく必要がある。靴２をバランスよく保持するためには、少なくとも靴２の土踏まず部分より前方まで保持できる長さを有していることが望ましい。
【００２０】
なお、このＵ字状挟着保持部３は、針金等の弾性材を用いて成形すれば、Ｕ字状の巾を押し広げることが可能となるので、靴２のサイズの大小や、靴底２ａが幅広である等の靴の形状の差異に対応可能である。
【００２１】
〔挟着凹部〕
挟着凹部４は、図示のように２つ設けられ、これら２つの挟着凹部４、４は協働して靴底を横方向（図９中矢示６、６の方向）から挟着保持する凹部である。
【００２２】
図９は、履き入れ口２ｄを下側、靴底２ａを上側とした靴２を靴用ハンガー１に挟着保持させた状態を靴２のつま先側から見た拡大説明図であるが、挟着凹部４、４の開口巾Ｗ（図９）は、靴底２ａを抱持できるように靴底２ａの厚みに対応させた巾としておく。
【００２３】
２つの挟着凹部４、４は、開口側を対向させて前記Ｕ字状挟着保持部３のそれぞれの開口側先端部３ｃ、３ｃに挟着凹部４、４の一端４ａ、４ａをそれぞれ連設し、他端４ｂ、４ｂは、Ｕ字状挟着保持部３のそれぞれの開口側先端部３ｃ、３ｃ（挟着凹部の一端４ａ、４ａ）よりも上方に位置するように成形する。
【００２４】
これは、この靴用ハンガー１が靴底２ａを上側にした靴２を外側から挟着保持して吊り下げる形態のハンガーであり、Ｕ字状挟着保持部３の平行部３ｂ、３ｂを、靴２の靴底２に沿って、靴底２ａと側革２ｃとの境界付近に位置させて靴２を挟着保持するためである。
【００２５】
従って、挟着凹部４、４は、Ｕ字状挟着保持部３に対して角度を有するように上方に向いてさえいれば、例えば、挟着凹部４、４は、Ｕ字状挟着保持部３に対して９０°に取り付けられていなければならない等の角度の制限はない。
【００２６】
〔吊り下げフック部〕
吊り下げフック部５は、前記挟着凹部４、４の他端４ｂ、４ｂから延設し、靴用ハンガー１を掛止して吊り下げるものである。ここで、挟着凹部４、４は、前記のようにＵ字状挟着保持部３に対して角度を有するように上方に向いて連設されているので、吊り下げフック部５もそのまま上方へ向かって連設されていればよい。
【００２７】
但し、Ｕ字状挟着保持部と吊り下げフック部との角度θ（図６、７、８）は、９０°以上となるようにする。これは以下に述べる理由による。
【００２８】
濡れた靴２は、図８図示のように履き入れ口２ｄの後端部２ｅが最下部に位置するようにすれば水切れがよくなって、素早く乾燥させることができる。
【００２９】
そこで、吊り下げフック部５は、靴用ハンガー１を吊り下げたときに、地面と垂直となって吊り下げられるので、Ｕ字状挟着保持部３と吊り下げフック部との角度θ（図６、７、８）が９０°以上となっていれば、図８図示のように履き入れ口２ｄの後端部２ｅが最下部に位置させることができるからである。
【００３０】
なお、吊り下げフック部５は、従来より使用されているどのような形状のものであってもよいが、鈎状のものであれば、面倒な操作をすることなく容易に靴用ハンガー１を掛止できるので、そのような形状とするのが望ましい。
【００３１】
（２）靴用ハンガーの使用方法
前記のように構成した靴用ハンガー１の使用方法について説明する。
【００３２】
靴用ハンガー１に靴２を掛止するときには、靴２の靴底２ａを挟着凹部４、４に通過させ、Ｕ字状挟着保持部３へ踵部分２ｂ側から矢示７（図１、８）の方向に差し入れて、踵部分２ｂをＵ字状挟着保持部３の頂部３ａに当接させる。
【００３３】
靴２がＵ字状挟着保持部３から抜け落ちないように挟着凹部４、４で靴底２ａの前側部分を挟着抱持させたら、吊り下げフック部５のフック５ａを適当な横桟やロープに掛止すればよい。
【００３４】
以上の簡単な工程で、靴２を履き入れ口２ｄの後端部２ｅが最下部に位置する状態（図８）に保つことができ、靴２を迅速に乾燥させることができる。
【００３５】
このとき、靴用ハンガー１は、靴２の構成要素の中で比較的堅牢な部分である靴底２ａ及び靴底２ａと側革２ｃとの境界付近を中心に接触しているので、靴２ａを傷める心配が少なく、また、安定した状態で吊り下げることができる。
【００３６】
なお、靴や靴底の形状によっては踵部分２ｂをＵ字状挟着保持部３の頂部３ａに当接させ難い場合もあるが、踵部分２ｂがＵ字状挟着保持部３の頂部３ａに当接させることができなくても、Ｕ字状挟着保持部３の平行部３ｂ、３ｂや挟着凹部４、４の弾性によって、しっかりと挟着されるので、靴２を安定した状態で保持できる。
【００３７】
一方、靴２を靴用ハンガー１から取り外すときは、矢示８（図１、８）の方向に靴２を引き抜いてやるだけでよい。
【００３８】
以上、この発明の好ましい実施の形態を添付図面を参照して説明したが、この発明はかかる実施の形態に限定されるものではなく、特許請求の範囲の記載から把握される技術的範囲において種々な形態に変更可能である。
【００３９】
【発明の効果】
この発明の靴用ハンガーは、略Ｕ字状に成形され、当該Ｕ字状の頂部付近内側に前記靴の踵部分を当接し、靴の踵部分から靴の前方に亘って靴底の周縁に沿って挟着保持するＵ字状挟着保持部を備えているので、靴の内部及び靴の側革をハンガーで痛めることなく靴をその底面を上側にした状態で靴の外側から容易に挟着保持して吊り下げることができる。
【００４０】
また、協働して靴底を横方向から挟着保持する２つの挟着凹部を備えているので、靴底を安定して抱持でき、靴の落下を防止すると共に靴を安定した状態で吊り下げることができる。
【００４１】
さらに、前記Ｕ字状挟着保持部と前記吊り下げフック部との角度が９０°以上となるように前記挟着凹部と前記Ｕ字状挟着保持部との連設部において前記挟着凹部を前記Ｕ字状挟着保持部に対して上方へ屈曲させて連設したので、靴の履き入れ口の後端部が最下部に位置するように吊り下げることができる。
【００４２】
すなわち、例えばジェットスキー等の際に着用したブーツのように濡れた靴であっても、効率よく、素早く乾燥させることができる。
【００４３】
また、この発明の靴用ハンガーは、その形状が、針金状の弾性材により屈曲成形できる形状であるので、その製作が容易である。
【図面の簡単な説明】
【図１】この発明の靴用ハンガーに靴を掛止した状態の斜視図である。
【図２】この発明の靴用ハンガーの正面図である。
【図３】同じく背面図である。
【図４】同じく平面図である。
【図５】同じく底面図である。
【図６】同じく右側面図である。
【図７】同じく左側面図である。
【図８】図１図示の状態の靴用ハンガーの側面から見た説明図である。
【図９】図８図示の靴用ハンガーを正面（靴のつま先側）から見た拡大説明図である。
【符号の説明】
１  靴用ハンガー
２  靴
２ａ  靴底
２ｂ  踵部分
２ｃ  側革
３  Ｕ字状挟着保持部
４  挟着凹部
５  吊り下げフック部
【図１】
2004202076.tif 000003
【図２】
2004202076.tif 000004
【図３】
2004202076.tif 000005
【図４】
2004202076.tif 000006
【図５】
2004202076.tif 000007
【図６】
2004202076.tif 000008
【図７】
2004202076.tif 000009
【図８】
2004202076.tif 000010
【図９】
2004202076.tif 000011